(57)【要約】クリップ対象情報をクリップデータとして記憶媒体２９に記録する際に、この記憶媒体２９の空き容量が不足している場合、既に記録されている複数のクリップデータのうち当該複数のクリップデータの属性に応じて判断した削除対象優先度の高いものから削除して記憶媒体２９の空き容量を確保し、新たなクリップ対象情報を記録することにより、ユーザの介入なしにクリップデータの属性に応じて判断した削除対象優先度の高いものから自動的に削除してから新たなクリップ対象情報を記録することができるので、ユーザの知らない間に重要度の高いクリップデータが自動的に削除されてしまうという不都合を回避することができる。
2005029496.tif 000002
【特許請求の範囲】
【請求項１】
記録対象のデータの属性を検出するデータ属性検出手段と、
上記データ属性検出手段によって検出した上記データの属性に応じて当該データの記録を実行するか否かを判別する判別手段と、
上記判別手段により上記データの記録を実行すると判別し、かつ上記データを記録するための記憶媒体の空き容量が不足しているとき、既に記録されている複数のデータのうち当該複数のデータの属性に応じて判断した削除対象優先度の高いものから削除するデータ削除手段と、
上記データ削除手段によって上記削除対象優先度の高いデータを削除した後に上記記録対象のデータを上記記憶媒体に記録するデータ記録手段と
を具えることを特徴とするデータ記録制御装置。
【請求項２】
上記データ属性検出手段は、
上記データの記録を要求するアプリケーションに基づいて上記データの属性を検出する
ことを特徴とする請求の範囲第１項に記載のデータ記録制御装置。
【請求項３】
上記データ属性検出手段は、
上記データのデータ自体が持つデータ属性情報を読み取ることにより当該データの属性を検出する
ことを特徴とする請求の範囲第１項に記載のデータ記録制御装置。
【請求項４】
上記判別手段は、
上記データの属性として当該データが放送コンテンツに関連する情報であることを示している場合、当該データの記録を実行することを無条件で決定する
ことを特徴とする請求の範囲第１項に記載のデータ記録制御装置。
【請求項５】
上記記判別手段は、
上記データの属性が、当該データが放送コンテンツのタイトル情報を含むナウオンエア情報であることを示しているとき、当該データの記録を実行することを無条件で決定する
ことを特徴とする請求の範囲第４項に記載のデータ記録制御装置。
【請求項６】
上記判別手段は、
上記データの属性が、当該データが放送コンテンツデータであることを示しているとき、当該データの記録を実行することを無条件で決定する
ことを特徴とする請求の範囲第４項に記載のデータ記録制御装置。
【請求項７】
上記データ削除手段は、
上記データの属性として当該データが記録メディアに関連する情報であることを示している場合、当該データを上記削除対象優先度の高いものと判断して削除する
ことを特徴とする請求の範囲第１項に記載のデータ記録制御装置。
【請求項８】
上記データ削除手段は、
上記データの属性が、当該データがコンパクトディスクに対応するタイトル情報であることを示しているとき、当該データを上記削除対象優先度の高いものと判断して削除する
ことを特徴とする請求の範囲第７項に記載のデータ記録制御装置。
【請求項９】
上記データ削除手段は、
上記データの属性が、当該データが記録メディアからコピーされたコンテンツデータであることを示しているとき、当該データを上記削除対象優先度の高いものと判断して削除する
ことを特徴とする請求の範囲第７項に記載のデータ記録制御装置。
【請求項１０】
記録対象のデータの属性を検出するデータ属性検出ステップと、
上記データ属性検出ステップで検出した上記データの属性に応じて当該データの記録を実行するか否かを判別する判別ステップと、
上記判別ステップで上記データの記録を実行すると判別し、かつ上記データを記録するための記憶媒体の空き容量が不足しているとき、既に記録されている複数のデータのうち当該複数のデータの属性に応じて判断した削除対象優先度の高いものから削除するデータ削除ステップと、
上記データ削除ステップで上記削除対象優先度の高いデータを削除した後に上記記録対象のデータを上記記憶媒体に記録するデータ記録ステップと
を具えることを特徴とするデータ記録制御方法。
【請求項１１】
上記データ属性検出ステップでは、
上記データの記録を要求するアプリケーションに基づいて上記データの属性を検出する
ことを特徴とする請求の範囲第１０項に記載のデータ記録制御方法。
【請求項１２】
上記データ属性検出ステップでは、
上記データのデータ自体が持つデータ属性情報を読み取ることにより当該データの属性を検出する
ことを特徴とする請求の範囲第１０項に記載のデータ記録制御方法。
【請求項１３】
上記判別ステップでは、
上記データの属性として当該データが放送コンテンツに関連する関連情報であることを示している場合、当該データの記録を実行することを無条件で決定する
ことを特徴とする請求の範囲第１０項に記載のデータ記録制御方法。
【請求項１４】
上記判別ステップでは、
上記データの属性が、当該データが放送コンテンツのタイトル情報を含むナウオンエア情報であることを示しているとき、当該データの記録を実行することを無条件で決定する
ことを特徴とする請求の範囲第１３項に記載のデータ記録制御方法。
【請求項１５】
上記判別ステップでは、
上記データの属性が、当該データが放送コンテンツデータであることを示しているとき、当該データの記録を実行することを無条件で決定する
ことを特徴とする請求の範囲第１３項に記載のデータ記録制御方法。
【請求項１６】
上記データ削除ステップでは、
上記データの属性として当該データが記録メディアに関連する関連情報であることを示している場合、当該データを上記削除対象優先度の高いものと判断して削除する
ことを特徴とする請求の範囲第１０項に記載のデータ記録制御方法。
【請求項１７】
上記データ削除ステップでは、
上記データの属性が、当該データがコンパクトディスクに対応するタイトル情報であることを示しているとき、当該データを上記削除対象優先度の高いものと判断して削除する
ことを特徴とする請求の範囲第１６項に記載のデータ記録制御方法。
【請求項１８】
上記データ削除ステップでは、
上記データの属性が、当該データが記録メディアからコピーされたコンテンツデータであることを示しているとき、当該データを上記削除対象優先度の高いものと判断して削除する
ことを特徴とする請求の範囲第１６項に記載のデータ記録制御方法。
【請求項１９】
情報処理装置に対して、
記録対象のデータの属性を検出するデータ属性検出ステップと、
上記データ属性検出ステップで検出した上記データの属性に応じて当該データの記録を実行するか否かを判別する判別ステップと、
上記判別ステップで上記データの記録を実行すると判別し、かつ上記データを記録するための記憶媒体の空き容量が不足しているとき、既に記録されている複数のデータのうち当該複数のデータの属性に応じて判断した削除対象優先度の高いものから削除するデータ削除ステップと、
上記データ削除ステップで上記削除対象優先度の高いデータを削除した後に上記記録対象のデータを上記記憶媒体に記録するデータ記録ステップと
を実行させるためのデータ記録制御プログラム。
【請求項２０】
上記データ属性検出ステップでは、
上記データの記録を要求するアプリケーションに基づいて上記データの属性を検出する
ことを特徴とする請求の範囲第１９項に記載のデータ記録制御プログラム。
【請求項２１】
上記データ属性検出ステップでは、
上記データのデータ自体が持つデータ属性情報を読み取ることにより当該データの属性を検出する
ことを特徴とする請求の範囲第１９項に記載のデータ記録制御プログラム。
【請求項２２】
上記判別ステップでは、
上記データの属性として当該データが放送コンテンツに関連する関連情報であることを示している場合、当該データの記録を実行することを無条件で決定する
ことを特徴とする請求の範囲第１９項に記載のデータ記録制御プログラム。
【請求項２３】
上記データ削除ステップでは、
上記データの属性として当該データが記録メディアに関連する関連情報であることを示している場合、当該データを上記削除対象優先度の高いものと判断して削除する
ことを特徴とする請求の範囲第１９項に記載のデータ記録制御プログラム。
【発明の詳細な説明】
【技術分野】  本発明は、データ記録制御装置に関し、例えばラジオの番組の中で放送された楽曲を受信してハードディスクに記録すると共に、当該楽曲に関連したタイトル及びアーティスト名等の楽曲情報を当該ハードディスクに格納する際の記録制御に適用して好適なものである。
【背景技術】  従来、いわゆるセットオーディオや単品コンポ等のオーディオステレオ再生システムや、ポータブルオーディオシステム、自動車に取り付けられたオーディオシステム等のラジオ受信機では、ラジオ局から放送される放送信号を受信して復調することにより、番組や楽曲をユーザに聴取させるようになされている。
一方、ラジオ局ではインターネットのホームページ上で各ラジオ局の番組に関する各種情報を公開しており、視聴者に対して例えば放送信号を送信すると同時に、例えば放送した楽曲のタイトル、アーティスト名、当該楽曲が収録されているＣＤの名称やＣＤ番号等の楽曲情報（以下、これをラジオ放送情報とも呼ぶ）を提供する。
このようにラジオ番組の聴取及び楽曲情報の取得を１台のシステムで同時に行うものとして、ラジオ受信機能及びインターネット接続機能を備えたクライアント端末としてのオーディオ再生装置が提案されている。
このオーディオ再生装置では、ユーザが当該オーディオ再生システムを介してラジオ番組を聴取しながら、そのラジオ番組の中で放送された楽曲のタイトル、アーティスト名等のラジオ放送情報を所定のサーバから取得し得るようになされている。
このときオーディオ再生装置では、ラジオ局から受信した楽曲をハードディスクに記録し得るようになされており、また所定のサーバから取得した当該楽曲に関連したラジオ放送情報についてもハードディスクにクリッピングするようになされている。
ここでハードディスクには楽曲のコンテンツと当該楽曲に関連したラジオ放送情報とが格納されるようになされており、実際には楽曲のコンテンツをハードディスクに多数格納する格納領域が大きく割り当てられているのに対し、ラジオ放送情報を格納するための格納領域については非常に小さな領域が割り当てられているに過ぎない。
従って、オーディオ再生装置では、ラジオ放送情報を格納するための格納領域が容量不足になっていると、例えば既に格納された日時の古いラジオ放送情報から自動的に削除して新しいラジオ放送情報を格納することが行われる（例えば、特許文献１参照）。
【特許文献１】特開平１１−２３２８４０号。
ところで上述のような方法では、ラジオ放送情報を古いものから削除していくようにした場合、必ずしもユーザにとっては不要とは限らない貴重なラジオ放送情報までも削除されてしまうことが起こり得るので、非常に便利な反面、ユーザが知らないうちに重要度の高いラジオ放送情報まで失ってしまうという問題があった。
【発明の開示】
本発明は以上の点を考慮してなされたもので、ユーザにとって重要度の高いデータを削除することがなく、最新のデータを最も不必要と思われるデータに代えて記録し得るデータ記録制御装置を提案しようとするものである。
かかる課題を解決するため本発明のデータ記録制御装置においては、記録対象のデータの属性を検出するデータ属性検出手段と、当該データ属性検出手段によって検出したデータの属性に応じて当該データの記録を実行するか否かを判別する判別手段と、当該判別手段によりデータの記録を実行すると判別し、かつデータを記録するための記憶媒体の空き容量が不足しているとき、既に記録されている複数のデータのうち当該複数のデータの属性に応じて判断した削除対象優先度の高いものから削除するデータ削除手段と、当該データ削除手段によって削除対象優先度の高いデータを削除した後に記録対象のデータを記憶媒体に記録するデータ記録手段とを設けるようにする。
これにより、ユーザの介入なしにデータの属性に応じて判断した削除対象優先度の高いものから自動的に削除して次に記録対象のデータを記憶媒体に記録することができるので、ユーザの知らない間に重要度の高いデータが自動的に削除されて消失してしまうという不都合を回避することができる。
また本発明のデータ記録制御方法においては、記録対象のデータの属性を検出するデータ属性検出ステップと、当該データ属性検出ステップで検出したデータの属性に応じて当該データの記録を実行するか否かを判別する判別ステップと、当該判別ステップで上記データの記録を実行すると判別し、かつデータを記録するための記憶媒体の空き容量が不足しているとき、既に記録されている複数のデータのうち当該複数のデータの属性に応じた削除対象優先度の高いものから削除するデータ削除ステップと、当該データ削除ステップで削除対象優先度の高いデータを削除した後に記録対象のデータを記憶媒体に記録するデータ記録ステップとを設けるようにする。
これにより、ユーザの介入なしにデータの属性に応じた削除対象優先度の高いものから自動的に削除して次に記録対象のデータを記憶媒体に記録することができるので、ユーザの知らない間に重要度の高いデータが自動的に削除されて消失してしまうという不都合を回避することができる。
さらに本発明のデータ記録制御プログラムにおいては、データ記録制御装置に対して、記録対象のデータの属性を検出するデータ属性検出ステップと、当該データ属性検出ステップで検出したデータの属性に応じて当該データの記録を実行するか否かを判別する判別ステップと、当該判別ステップでデータの記録を実行すると判別し、かつデータを記録するための記憶媒体の空き容量が不足しているとき、既に記録されている複数のデータのうち当該複数のデータの属性に応じた削除対象優先度の高いものから削除するデータ削除ステップと、当該データ削除ステップで削除対象優先度の高いデータを削除した後に記録対象のデータを記憶媒体に記録するデータ記録ステップとを実行させるようにする。
これにより、ユーザの介入なしにデータの属性に応じた削除対象優先度の高いものから自動的に削除して次に記録対象のデータを記憶媒体に記録することができるので、ユーザの知らない間に重要度の高いデータが自動的に削除されて消失してしまうという不都合を回避することができる。
上述のように本発明によれば、ユーザの介入なしにデータの属性に応じた削除対象優先度の高いものから自動的に削除して次に記録対象のデータを記憶媒体に記録することができるので、ユーザの知らない間に重要度の高いデータが自動的に削除されて消失してしまうという不都合を回避し得、かくしてユーザにとって重要度の高いデータを削除することがなく、最新のデータを最も不必要と思われるデータに代えて記録し得るデータ記録制御装置、データ記録制御方法及びデータ記録制御プログラムを実現できる。
【図面の簡単な説明】  図１は、本実施の形態における音楽関連サービス提供システムの全体構成を示す略線図である。
図２は、クライアント端末の機能回路ブロックによるハードウェア構成を示すブロック図である。
図３は、ディレクトリ構成を示す略線図である。
図４は、ポータルサーバの機能回路ブロックによるハードウェア構成を示すブロック図である。
図５は、音楽データ配信サーバの機能回路ブロックによるハードウェア構成を示すブロック図である。
図６は、物販サーバの機能回路ブロックによるハードウェア構成を示すブロック図である。
図７は、ラジオ放送情報配信サーバの機能回路ブロックによるハードウェア構成を示すブロック図である。
図８は、ＣＤ楽曲情報提供サーバの機能回路ブロックによるハードでウェア構成を示すブロック図である。
図９は、クライアント端末及びポータルサーバ間のユーザ認証処理手順を示すシーケンスチャートである。
図１０は、クライアント端末及び音楽データ配信サーバ間のユーザ認証処理手順を示すシーケンスチャートである。
図１１は、音楽データ配信サービス提供処理手順を示すシーケンスチャートである。
図１２は、物販サービス提供処理手順を示すシーケンスチャートである。
図１３は、ラジオ放送情報（オンエアリスト情報）配信サービス提供処理手順（１）を示すシーケンスチャートである。
図１４は、ラジオ放送情報（ナウオンエア情報）配信サービス提供処理手順（２）を示すシーケンスチャートである。
図１５は、クリップデータベースの構成を示す略線図である。
図１６は、ＣＤ楽曲情報の自動削除及び自動登録処理手順を示すフローチャートである。
図１７は、ナウオンエア情報の自動削除及び自動登録処理手順を示すフローチャートである。
図１８は、クライアント端末のハードウェア回路ブロックによるハードウェア構成を示すブロック図である。
図１９は、クライアント端末のプログラムモジュールを示す略線図である。
図２０は、各サーバのハードウェア回路ブロックによるハードウェア構成を示すブロック図である。
【符号の説明】
１……音楽関連サービス提供システム、２……クライアント端末、制御部……２３、記憶媒体……２９、ＳＶ１……音楽データ配信サーバ、ＳＶ２……物販サーバ、ＳＶ３……ラジオ放送情報配信サーバ、ＳＶ４……インターネットラジオサーバ、ＳＶ５……ＣＤ楽曲情報提供サーバ、ＳＶ６……課金サーバ
【発明を実施するための最良の形態】  以下、図面について、本発明の一実施の形態を詳述する。
（１）音楽関連サービス提供システム
（１−１）システム構成
図１において、１は全体として本実施の形態における音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ６とを有している。
この実施の形態の場合、音楽データ配信サーバＳＶ１は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末２に配信する音楽データ配信サービスを提供する。
また物販サーバＳＶ２は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末２を介してユーザに販売する物販サービスを提供する。
さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。
さらにＣＤ楽曲情報提供サーバＳＶ５は、市販の音楽ＣＤのタイトルや、当該音楽ＣＤに収録されている楽曲のタイトル、アーティスト名、及びジャンル等を含む楽曲情報（以下、これをＣＤ楽曲情報と呼ぶ）をクライアント端末２に提供するＣＤ楽曲情報提供サービスを提供する。
これに加えて課金サーバＳＶ６は、ポータルサーバ３等からの要求に応じてユーザに対し様々な料金を課すための課金処理を実行するようになされている。
（１−２）クライアント端末２の構成
（１−２−１）クライアント端末２の機能回路ブロック構成
次にクライアント端末２の機能回路ブロックによるハードウェア構成を説明する。図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。
入力処理部２１は、操作入力部２０から与えられる操作入力信号を特定の操作コマンドに変換しバス２２を介して制御部２３に送出する。
制御部２３は、バス２２を介して接続された各回路から与えられる操作コマンドや制御信号に基づいてこれら各回路の動作を制御する。
表示制御部２４は、バス２２を介して供給される映像データに対してディジタルアナログ変換処理を施し、その結果得られるアナログ映像信号を表示部２５に送出する。
表示部２５は、例えば液晶ディスプレイ等の表示デバイスであって、筐体表面に直接取り付けられている場合や外付けされている場合がある。
そして表示部２５は、制御部２３による処理結果や各種映像データが表示制御部２４を介してアナログ映像信号として供給されると、当該アナログ映像信号に基づく映像を表示する。
音声制御部２６は、バス２２を介して供給される音声データに対してディジタルアナログ変換処理を施し、その結果得られるアナログ音声信号をスピーカ２７に送出する。スピーカ２７は、音声制御部２６から供給されるアナログ音声信号に基づく音声を出力する。
外部記録媒体記録再生部２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部２８は、外部記録媒体からコンテンツデータとして映像データを読み出したとき、当該読み出した映像データをバス２２を介して表示制御部２４に供給する。
これにより表示制御部２４は、外部記録媒体記録再生部２８により外部記録媒体からコンテンツデータとして読み出された映像データをアナログ映像信号に変換して表示部２５に供給する。
また外部記録媒体記録再生部２８は、外部記録媒体からコンテンツデータとして音声データを読み出したとき、当該読み出した音声データをバス２２を介して音声制御部２６に供給する。
これにより音声制御部２６は、外部記録媒体記録再生部２８により外部記録媒体からコンテンツデータとして読み出された音声データをアナログ音声信号に変換してスピーカ２７に供給する。
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このようにコンテンツデータを記憶媒体２９に記憶することをリッピングと呼ぶ）ことができる。
そして制御部２３は、記憶媒体２９からコンテンツデータとしてイメージデータ又はビデオデータ等の映像データを読み出したときには、当該読み出した映像データをバス２２を介して表示制御部２４に供給する。
また制御部２３は、記憶媒体２９からコンテンツデータとしてオーディオデータ等の音声データを読み出したときには、当該読み出した音声データをバス２２を介して音声制御部２６に供給する。
これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
放送信号受信部３０は、各ラジオ局から送信されるラジオ放送波を受信し、チューナ部３１に供給する。
チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。
音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。
また制御部２３は、チューナ部３１で得られた音声データを記憶媒体２９に送出して記憶することにより、ラジオ番組の番組音声を録音することもできる。
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ５にアクセスすることができ、これによりポータルサーバ３やその他サーバＳＶ１乃至ＳＶ５との間で各種情報や各種データを送受信する。
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。
またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。
これによりエンコーダ／デコーダ部３４で圧縮符号化されたコンテンツデータは、制御部２３の制御のもと記憶媒体２９に記憶される。
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。
著作権管理部３５で生成された著作権管理情報は、制御部２３の制御のもとにコンテンツデータと対応付けられて記憶媒体２９に登録される。
また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部３６は、ネットワークＮＴからネットワークインタフェース３３及び通信制御部３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  ｌａｎｇｕａｇｅ）ファイル等のページ情報を解釈して表示部２５に表示するための映像データを生成し、当該生成した映像データを表示制御部２４に送出する。
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。
認証情報記憶部３８は、認証処理部３７がポータルサーバ３やその他サーバＳＶ１乃至ＳＶ４に対しアクセスするときに必要となる認証情報を記憶する。
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。
その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
また、このときラジオ放送表示制御部３９は、表示部２５に表示しているラジオ放送情報を記憶するようユーザに指示されると、このラジオ放送情報を記憶媒体２９に予め構築された後述するクリップデータベースに記憶（クリップ）するようにもなされている。
（１−２−２）ディレクトリ管理
クライアント端末２の制御部２３は、記憶媒体２９に対して記憶するコンテンツデータを、図３に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツデータについてのディレクトリ管理は、記憶媒体２９に記憶されているデータベースファイルによって行われる。
（１−３）ポータルサーバ３の機能回路ブロック構成
次に、図４を用いてポータルサーバ３の機能回路ブロックによるハードウェア構成を説明する。ポータルサーバ３内の制御部５０は、バス５１を介して接続される各回路の動作を制御する。
通信制御部５２は、制御部５０の制御のもと、ネットワークインタフェース５３を介してクライアント端末２やその他サーバＳＶ１乃至ＳＶ５と各種情報を送受信する。
顧客データベース部５４には、音楽関連サービス提供システム１の運営業者とすでに契約を完了しているユーザのユーザＩＤ（Ｉｄｅｎｔｉｆｉｃａｔｉｏｎ）情報とパスワード情報とが対応付けられて顧客情報として登録されている。
ページ情報記憶部５５には、音楽関連サービス提供システム１の運営業者が管理するページ情報等が記憶されている。
なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Ｕｎｉｆｏｒｍ  Ｒｅｓｏｕｒｃｅ  Ｌｏｃａｔｏｒ）情報を含んでいる。
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。
そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。
このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。
なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。
これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトルやアーティスト名等からなるラジオ放送情報（以下、これを特にナウオンエア情報と呼ぶ）を取得可能なＵＲＬ情報とが対応付けられて記憶されている。
（１−４）音楽データ配信サーバＳＶ１の機能回路ブロック構成
次に、図５を用いて音楽データ配信サーバＳＶ１の機能回路ブロックによるハードウェア構成を説明する。音楽データ配信サーバＳＶ１内の制御部７０は、バス７１を介して接続される各回路の動作を制御する。
通信制御部７２は、制御部７０の制御のもと、ネットワークインタフェース７３を介してクライアント端末２やポータルサーバ３等と各種情報や、コンテンツデータ等の各種データを送受信する。
顧客データベース部７４には、音楽データ配信サーバＳＶ１の運営業者とすでに契約を完了しているユーザのユーザＩＤ情報とパスワード情報とが対応付けられて顧客情報として登録されている。ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
ページ情報記憶部７６には、音楽データ配信サーバＳＶ１が管理する、ダウンロード可能な音楽データを紹介する音楽データ配信用のページ情報等が記憶されている。
因みに音楽データ配信用のページ情報は、ＸＭＬ等の言語によって記述されており、クライアント端末２を利用するユーザに対してダウンロードを希望する音楽データを選択させることができる。
そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。
また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。
そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。
このようにして認証処理部７５は、ユーザ認証処理が終了すると、そのユーザ認証処理の結果を示したサーバ認証結果情報（後述するサービスセッションＩＤ情報）を発行する。
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。
これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。
ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。
検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。
そして検索部７９は、かかる検索キーに基づいて、音楽データ記憶部７８内の複数の音楽データの中から当該検索キーの示す検索条件に該当するダウンロード希望の音楽データを検索する。
これにより制御部７０は、その検索されたダウンロード希望の音楽データを通信制御部７２及びネットワークインタフェース７３を順次介してクライアント端末２に送信する。
また制御部７０は、このときクライアント端末２への音楽データのダウンロードに伴うユーザに対する課金処理用の課金情報を通信制御部７２及びネットワークインタフェース７３を順次介して課金サーバＳＶ６に送信することにより、課金サーバＳＶ６に対し当該ユーザに対する音楽データのダウンロードに応じた課金処理を実行させる。
（１−５）物販サーバＳＶ２の機能回路ブロック構成
次に、図６を用いて物販サーバＳＶ２の機能回路ブロックによるハードウェア構成を説明する。物販サーバＳＶ２内の制御部９０は、バス９１を介して接続される各回路の動作を制御する。
通信制御部９２は、制御部９０の制御のもと、ネットワークインタフェース９３を介してクライアント端末２やポータルサーバ３等と各種情報を送受信する。
顧客データベース部９４には、物販サーバＳＶ２の運営業者とすでに契約を完了しているユーザのユーザＩＤ情報とパスワード情報とが対応付けられて顧客情報として登録されている。ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
ページ情報記憶部９６には、物販サーバＳＶ２が管理する、販売対象のＣＤやＤＶＤ等のパッケージメディアを紹介するパッケージメディア販売用のページ情報等が記憶されている。
因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。
そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。
また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。
そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。
このようにして認証処理部９５は、ユーザ認証処理が終了すると、そのユーザ認証処理の結果を示したサーバ認証結果情報（後述するサービスセッションＩＤ情報）を発行する。
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。
これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。
ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。
そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。
これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。
その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
また制御部９０は、特定のパッケージメディアの購入に伴うユーザに対する課金処理用の課金情報を通信制御部９２及びネットワークインタフェース９３を順次介して課金サーバＳＶ６に送信することにより、課金サーバＳＶ６に対し当該ユーザに対する特定のパッケージメディアの購入に応じた課金処理を実行させる。
さらに制御部９０は、課金サーバＳＶ６によるユーザに対する課金処理が完了すると、パッケージメディアの購入処理が完了したことを示す購入完了ページ情報を通信制御部９２及びネットワークインタフェース９３を順次介してクライアント端末２に送信する。
（１−６）ラジオ放送情報配信サーバＳＶ３の機能回路ブロック構成
次に、図７を用いてラジオ放送情報配信サーバＳＶ３の機能回路ブロックによるハードウェア構成を説明する。ラジオ放送情報配信サーバＳＶ３内の制御部１１０は、バス１１１を介して接続される各回路の動作を制御する。
通信制御部１１２は、制御部１１０の制御のもと、ネットワークインタフェース１１３を介してクライアント端末２やポータルサーバ３等と各種情報を送受信する。
顧客データベース部１１４には、ラジオ放送情報配信サーバＳＶ３の運営業者とすでに契約を完了しているユーザのユーザＩＤ情報とパスワード情報とが対応付けられて顧客情報として登録されている。ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。
その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。
そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。
これにより制御部１１０は、その検索された取得希望のオンエアリスト情報を通信制御部１１２及びネットワークインタフェース１１３を順次介してクライアント端末２に送信する。
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。
そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。
このようにして認証処理部１１５は、ユーザ認証処理が終了すると、そのユーザ認証処理の結果を示したサーバ認証結果情報（後述するサービスセッションＩＤ情報）を発行する。
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。
これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。
このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。
ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
（１−７）ＣＤ楽曲情報提供サーバＳＶ５の機能回路ブロック構成
次に、図８を用いてＣＤ楽曲情報提供サーバＳＶ５の機能回路ブロックによるハードウェア構成を説明する。ＣＤ楽曲情報提供サーバＳＶ５内の制御部１３０は、バス１３１を介して接続される各回路の動作を制御する。
通信制御部１３２は、制御部１３０の制御のもと、ネットワークインタフェース１３３を介してクライアント端末２等とＣＤ楽曲情報等の各種情報を送受信する。
ＣＤ楽曲情報記憶部１３４には、市販の音楽ＣＤに関するＣＤ楽曲情報（音楽ＣＤのタイトルや、当該音楽ＣＤに収録されている楽曲のタイトル、アーティスト名、及びジャンル等を含む）が、各音楽ＣＤのＴＯＣ（Ｔａｂｌｅ  Ｏｆ  Ｃｏｎｔｅｎｔｓ）情報と対応付けられて記憶管理されている。
検索部１３５は、クライアント端末２から音楽ＣＤの再生時に送信されるその音楽ＣＤのＴＯＣ情報を含むＣＤ楽曲情報要求信号が、ネットワークインタフェース１３３及び通信制御部１３２を順次介して受信されると、制御部１３０の制御のもと、当該受信されたＣＤ楽曲情報要求信号に含まれるＴＯＣ情報を検索キーとして、当該ＴＯＣ情報に対応するＣＤ楽曲情報をＣＤ楽曲情報記憶部１３４から検索する。
そして制御部１３０は、この検索部１３５による検索の結果として得られたＣＤ楽曲情報をネットワークインタフェース１３３及び通信制御部１３２を順次介してクライアント端末２に送信する。
このようにしてＣＤ楽曲情報提供サーバＳＶ５は、クライアント端末２で再生された音楽ＣＤに対するＣＤ楽曲情報を、当該クライアント端末２に提供し得るようになされている。
（１−８）各サーバの処理概要
次に図９乃至図１４に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３等との間で実行される処理の概要を説明する。
（１−８−１）クライアント端末２及びポータルサーバ３間のユーザ認証処理手順
まず図９を用いて、クライアント端末２とポータルサーバ３との間で実行されるユーザ認証処理手順について説明する。
音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。
因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。
なおかかる認証セッションＩＤ情報については、ユーザ認証処理等に利用するうえで、ポータルサーバ３による発行時点を基準とした所定の有効期限（例えば１分程度）が設定されている。
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。
これによりポータルサーバ３は、過去に発行した認証セッションＩＤ情報が、音楽関連サービス提供システム１の運営業者と契約してはいないユーザによりユーザ認証処理等に対し不当に利用されることを防止している。
また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。
そして認証処理部５６は、制御部５０の制御のもと、クライアント端末２から接続要求信号として受信された認証セッションＩＤ情報等に基づいてユーザ認証処理を実行する。
その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。
その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
そして制御部５０は、認証処理部５６によりそのクライアント端末２に対して発行された認証セッションＩＤ情報等を通信制御部５２及びネットワークインタフェース５３を順次介してクライアント端末２に送信する。
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。
そして認証処理部３７は、制御部２３の制御のもとに、ポータルサーバ３から受信されたその認証セッションＩＤ情報等を認証情報記憶部３８に一時記憶する。
これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。
これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。
これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。
ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。
これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。
また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
（１−８−２）クライアント端末２及び各サーバＳＶ１乃至ＳＶ３間のユーザ認証処理手順
次に、図１０において、クライアント端末２と、音楽データ配信サーバＳＶ１、物販サーバＳＶ２及びラジオ放送情報配信サーバＳＶ３との間で実行するユーザ認証処理について以下に説明する。
この場合、かかるユーザ認証処理としては、クライアント端末２が図９について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。
またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。
また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。
そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。
因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。
なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。
これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。
また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。
その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。
そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。
そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。
その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。
そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。
これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。
そして制御部５０は、認証処理部５６により、クライアント端末２を利用するユーザが正規ユーザであると認証されると、後述するステップＳＰ１８に移る。
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。
その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
そして制御部５０は、認証処理部５６によりそのクライアント端末２に対して発行された認証セッションＩＤ情報等を通信制御部５２及びネットワークインタフェース５３を順次介してクライアント端末２に送信する。
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。
そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。
その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。
そして制御部５０は、認証処理部５６により、クライアント端末２を利用するユーザが正規ユーザであると認証されると、次のステップＳＰ１８に移る。
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。
そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。
これにより制御部５０は、認証チケット等を、認証処理部５６により有効期限の延長された認証セッションＩＤ情報等と共に通信制御部５２及びネットワークインタフェース５３を順次介してクライアント端末２に送信する。
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。
そして制御部２３は、そのポータルサーバ３から受信した認証チケット等を認証要求信号と共に通信制御部３２及びネットワークインタフェース３３を順次介して音楽データ配信サーバＳＶ１に送信する。
また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。
そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。
そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。
その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。
これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。
また制御部７０は、認証処理部７５によりそのクライアント端末２に対して発行されたサービスセッションＩＤ情報等を通信制御部７２及びネットワークインタフェース７３を順次介してクライアント端末２に送信する。
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。
これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。
その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。
そして制御部７０は、認証処理部７５により、クライアント端末２を利用するユーザが正規ユーザであると認証されると、次のステップＳＰ２５に移る。
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。
そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。
これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。
またページ情報生成部３６は、音楽データ配信用のページ情報に基づく映像データを生成し、当該生成した映像データを表示制御部２４に送出する。
これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
（１−８−３）音楽関連サービス提供処理
続いて図１１乃至図１４において、図１０について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
（１−８−３−１）音楽データ配信サービス提供処理手順
まず図１１を用いてクライアント端末２が、音楽データ配信サーバＳＶ１から音楽データ配信サービスの提供を受ける際の音楽データ配信サービス提供処理手順について説明する。
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。
そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。
これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。
その結果、制御部７０は、認証処理部７５により、クライアント端末２を利用して音楽データのダウンロードを要求したユーザが正規ユーザであると認証されると、次のステップＳＰ３２に移る。
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。
そして制御部７０は、検索部７９により音楽データが検索されると、認証処理部７５により、クライアント端末２に対し発行していたサービスセッションＩＤ情報等の有効期限を延長させて、次のステップＳＰ３３に移る。
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。
認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
このようにしてクライアント端末２は、音楽データ配信サーバＳＶ１の提供している音楽データ配信サービスを利用して、ユーザにより取得の希望された音楽データをダウンロードすることができる。
（１−８−３−２）物販サービス提供処理手順
次に図１２を用いてクライアント端末２が、物販サーバＳＶ２から物販サービスの提供を受ける際の物販サービス提供処理手順について説明する。
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。
そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
その結果、制御部９０は、認証処理部９５により、クライアント端末２を利用してパッケージメディアに関するパッケージメディア情報を要求したユーザが正規ユーザであると認証されると、次のステップＳＰ４２に移る。
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。
そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
またページ情報生成部３６は、制御部２３から与えられたパッケージメディア情報に基づいて映像データを生成し、当該生成した映像データを表示制御部２４によりアナログ映像信号に変換して表示部２５に送出する。
このようにして制御部２３は、表示部２５に対しそのアナログ映像信号に基づく映像としてパッケージメディア情報を表示させると、次のステップＳＰ４５に移る。
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。
そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
その結果、制御部９０は、認証処理部９５により、クライアント端末２を利用してパッケージメディアの購入を要求したユーザが正規ユーザであると認証されると、次のステップＳＰ４７に移る。
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ６に送信することにより、その課金サーバＳＶ６に対し当該ユーザに対するパッケージメディアの購入に応じた課金処理を実行させる。
また制御部９０は、認証処理部９５により、クライアント端末２に対し発行していたサービスセッションＩＤ情報等の有効期限を延長させる。
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
またページ情報生成部３６は、制御部２３から与えられた購入完了ページ情報に基づく映像データを生成し、当該生成した映像データを表示制御部２４によりアナログ映像信号に変換して表示部２５に送出する。
これにより制御部２３は、表示部２５に対しそのアナログ映像信号に基づく映像として購入完了ページを表示させる。
このようにしてクライアント端末２は、物販サーバＳＶ２の提供している物販サービスを利用して、ユーザに対して所望のパッケージメディアを購入させることができる。
（１−８−３−３）オンエアリスト情報配信サービス提供処理手順
次に図１３を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。
そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。
認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
その結果、制御部１１０は、認証処理部１１５により、クライアント端末２を利用してオンエアリスト情報を要求したユーザが正規ユーザであると認証されると、次のステップＳＰ６２に移る。
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。
そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。
認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。
このようにしてクライアント端末２は、ラジオ放送情報配信サーバＳＶ３の提供しているラジオ放送情報配信サービスを利用して、ユーザに対して所望のオンエアリスト情報を取得させることができる。
（１−８−３−４）ナウオンエア情報配信サービス提供処理手順
次に図１４を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバＳＶ３は、ラジオ局（コールサイン）毎に設けられている。
そしてクライアント端末２には、初期状態において、各ラジオ局に対応するラジオ放送情報配信サーバＳＶ３のＵＲＬ情報が記憶されていない場合がある。
そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。
またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。このため、まずクライアント端末２は、ポータルサーバ３に対しユーザＩＤ情報及びパスワード情報等を送信することになる。
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。
認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。
その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。
そして制御部５０は、このように認証処理部５６によりユーザが正規ユーザであると認証されると、次のステップＳＰ７２に移る。
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。
これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。
これにより認証処理部３７は、制御部２３の制御のもと、ポータルサーバ３から受信された認証セッションＩＤ情報等を認証情報記憶部３８に一時記憶する。
また表示制御部２４は、制御部２３から与えられた周波数情報、ラジオ局名及びコールサインのリストを表示部２５に送出することにより当該表示部２５に対しそのリストを表示させる。
さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。
これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。
従って音声制御部２６は、チューナ部３１から与えられる音声データをアナログ音声信号に変換してスピーカ２７に送出することにより当該スピーカ２７から、選択されたラジオ番組の音声を出力させることができる。
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。
認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。
その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。
また制御部５０は、認証処理部５６により、クライアント端末２に対し発行していた認証セッションＩＤ情報等の有効期限を延長させる。
そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。
認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。
またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。
そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図１０について上述したステップＳＰ１０の処理に対応している。
従ってこのラジオ放送情報配信サービス提供処理手順では、ステップＳＰ７８の処理に引き続き、クライアント端末２及びラジオ放送情報配信サーバＳＶ３並びにポータルサーバ３において、図１０について上述したステップＳＰ１１乃至ステップＳＰ１３及びステップＳＰ１８乃至ステップＳＰ２２と同様のユーザ認証処理を順次実行した後、続くステップＳＰ７９に移る。
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。
これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
その結果、認証処理部１１５は、クライアント端末２を利用するユーザを正規ユーザであると認証すると、当該クライアント端末２からのナウオンエア情報の取得要求が正当な要求であると判断する。
そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。
これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。
そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。
これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
（２）ナウオンエア情報のクリップ、及びＣＤ楽曲情報のクリップ
ここで、クライアント端末２におけるナウオンエア情報のクリップ、及びＣＤ楽曲情報のクリップについて説明する。
上述したように、クライアント端末２においては、ラジオ放送情報配信サーバＳＶ３から受信したラジオ放送情報としてのナウオンエア情報を、ユーザの指示等に応じてクリップし得るようになされている。
この場合、実際上クライアント端末２の制御部２３は、受信したナウオンエア情報を、記憶媒体２９に予め構築されているクリップデータベース（図１５）にクリップデータとして登録する。
またクライアント端末２の制御部２３は、音楽ＣＤの再生時に当該音楽ＣＤのＴＯＣ情報をＣＤ楽曲情報提供サーバＳＶ５に送信して得られたＣＤ楽曲情報も、ユーザの指示等に応じて（あるいは自動的に）クリップし得るようになされており、この場合も、受信したＣＤ楽曲情報を、クリップデータベースにクリップデータとして登録する。
このように、クライアント端末２の制御部２３は、それぞれのサーバから受信したナウオンエア情報やＣＤ楽曲情報を、ユーザの指示等に応じて、クリップ（すなわちクリップデータベースにクリップデータとして登録）し得るようになされている。
このクリップデータベースは、図１５に示すように、例えばナウオンエア情報やＣＤ楽曲情報の双方に含まれる楽曲タイトル、アーティスト名及びジャンルに対応するカラム「楽曲タイトル」、カラム「アーティスト名」及びカラム「ジャンル」と、登録されたクリップデータの取得元がラジオ（ナウオンエア情報）であるのかあるいはＣＤ（ＣＤ楽曲情報）であるのかを示すソースに対応するカラム「ソース」と、クリップデータを登録した登録日時に対応するカラム「登録日時」等とで構成されている。
すなわちクライアント端末２の制御部２３は、ナウオンエア情報をクリップするよう指示されると、このナウオンエア情報に含まれる楽曲タイトル（例えば「ＴＯ  ＭＥ」）、アーティスト名（例えば「浜崎あみ」）及びジャンル（例えば「ポップス」）や、ソース（例えば「ラジオ（ナウオンエア情報）」）及び登録日時（例えば「２００４／０５／０１  １０：３５」）等をそれぞれ対応するカラムに書き込んで、１データベースレコード（すなわち１クリップデータ）として登録する。
またクライアント端末２の制御部２３は、ＣＤ楽曲情報をクリップするよう指示されると、このＣＤ楽曲情報に含まれる楽曲タイトル（例えば「さくら」）、アーティスト名（例えば「スマシガオ」）及びジャンル（例えば「ポップス」）や、ソース（例えば「ＣＤ（ＣＤ楽曲情報）」）及び登録日時（例えば「２００４／０６／０３  ８：４５」）等をそれぞれ対応するカラムに書き込んで、１データベースレコード（すなわち１クリップデータ）として登録する。
このようにクライアント端末２においては、クリップデータの取得元を示すソースや登録日時を含んだクリップデータを記憶することにより、各クリップデータが、ナウオンエア情報をクリップしたものであるのかあるいはＣＤ楽曲情報をクリップしたものであるのか、またいつ登録したものであるのかを判断することができるようになされている。なお、以下の説明においては、ナウオンエア情報及びＣＤ楽曲情報をまとめてクリップ対象情報とも呼ぶ。
ちなみに、クライアント端末２の制御部２３は、取得元を示す情報であるソースがクリップ対象情報（ナウオンエア情報やＣＤ楽曲情報）に予め含まれている場合には、その含まれているソースをソース「カラム」に書き込み、含まれていない場合には、ナウオンエア情報及びＣＤ楽曲情報のどちらをクリップしたのかに応じて、ソース「カラム」にソースを書き込むようになされている。
（３）データベースレコードの自動削除及び自動登録処理手順
ところで、クライアント端末２の記憶媒体２９は、クリップ対象情報（ナウオンエア情報やＣＤ楽曲情報）をクリップしたクリップデータの記憶場所であると同時に、例えば音楽ＣＤからリッピングした音楽データや、音楽データ配信サーバＳＶ１からダウンロードした音楽データ、ラジオ放送を録音した音声データ等の記憶場所でもある。
このため、実際上この記憶媒体２９には、音楽データや音声データ等のコンテンツデータを格納するためのコンテンツ格納領域が大きく割り当てられているのに対し、クリップ対象情報等のクリップデータを格納するためのクリップ格納領域（すなわちクリップデータベースで利用できる領域）については非常に小さな領域しか割り当てられていない。
ゆえにクライアント端末２では、このクリップ格納領域が容量不足になっていると、新たに取得したクリップ対象情報をクリップデータとしてクリップデータベースに登録することができなくなり、重要度が最も低く不必要と思われる削除対象優先度の高いクリップデータをユーザの介入なしに自動的に選び出して削除し、当該新たに取得したクリップ対象情報を自動的に登録するようになされている。以下、このようなデータベースレコードの自動削除及び自動登録処理手順について説明する。
なおクライアント端末２の制御部２３は、クリップデータベースに登録されている各クリップデータのソース及び登録日時を参照し、これらソースや登録日時を削除対象優先度を図る際の基準として用いるようになされている。
（３−１）ＣＤ楽曲情報の自動削除及び自動登録処理手順
図１６に示すようにクライアント端末２の制御部２３は、まずルーチンＲＴ１の開始ステップから入って次のステップＳＰ１０１へ移る。
ステップＳＰ１０１においてクライアント端末２の制御部２３は、外部記録媒体記録再生部２８（図２）を介して音楽ＣＤを再生すると共に、ユーザからの操作に基づいて当該音楽ＣＤに関するＣＤ楽曲情報をクリップデータとしてクリップデータベースに登録するための登録依頼を受けると、このとき当該音楽ＣＤのＴＯＣ情報に基づくＣＤ楽曲情報要求信号をＣＤ楽曲情報提供サーバＳＶ５に送信することにより、当該音楽ＣＤに関するＣＤ楽曲情報をＣＤ楽曲情報提供サーバＳＶ５から取得し、次のステップＳＰ１０２へ移る。
ステップＳＰ１０２においてクライアント端末２の制御部２３は、記憶媒体２９のクリップデータベースを参照することにより現在のクリップデータの登録件数を確認し、次のステップＳＰ１０３へ移る。
ステップＳＰ１０３においてクライアント端末２の制御部２３は、クリップデータベースにおける現在のクリップデータの登録件数が、クリップ格納領域に割り当てられている記憶容量の範囲内で登録可能な最大数を超えているか否かを判定し、登録件数が最大数を超えていないときには記憶容量に未だ余裕があるので、この場合は否定結果を得て次のステップＳＰ１０７へ移る。
これに対してクライアント端末２の制御部２３は、ステップＳＰ１０３で現在のクリップデータの登録件数が最大数を超えている場合には記憶容量に余裕がなく新たなクリップデータを登録できない状態であり、このとき肯定結果を得て次のステップＳＰ１０４へ移る。
ステップＳＰ１０４においてクライアント端末２の制御部２３は、クリップデータベースに登録されている複数のクリップデータのうちソースがＣＤ楽曲情報であるものが存在するか否かを判定する。
ここで否定結果が得られると、このことはクリップデータベースに登録されている複数のクリップデータのソースが全てナウオンエア情報であること、すなわち登録されている全てのクリップデータがナウオンエア情報をクリップしたものであることを表しており、このときクライアント端末２の制御部２３は、次のステップＳＰ１０５へ移る。
ステップＳＰ１０５においてクライアント端末２の制御部２３は、全てのクリップデータがナウオンエア情報をクリップしたものである場合、これらクリップデータが２度と取得できない可能性がある重要度の高いものであるため、自動的に削除することは一切せず、今回新たなＣＤ楽曲情報をＣＤ楽曲情報提供サーバＳＶ５から取得してもクリップデータベースに登録せずに（登録処理の失敗）、次のステップＳＰ１０８へ移って処理を終了する。
これに対してステップＳＰ１０４で肯定結果が得られると、このことはクリップデータベースに登録されている複数のクリップデータベースのソースがナウオンエア情報ばかりではなくＣＤ楽曲情報も含まれていること、すなわちクリップデータベースにナウオンエア情報のクリップデータばかりでなく、ＣＤ楽曲情報のクリップデータも登録されていることを表しており、このときクライアント端末２の制御部２３は次のステップＳＰ１０６へ移る。
ステップＳＰ１０６においてクライアント端末２の制御部２３は、ＣＤ楽曲情報をソースとするクリップデータのうち最も古いもの（登録日時の最も古いもの）をユーザにとって重要度が低く削除対象優先度の高いクリップデータであると判断し、これをクリップデータベースから自動的に削除し、次のステップＳＰ１０７へ移る。
ステップＳＰ１０７においてクライアント端末２の制御部２３は、今回ＣＤ楽曲情報提供サーバＳＶ５から取得したＣＤ楽曲情報をクリップデータとしてクリップデータベースに自動的に登録し、次のステップＳＰ１０８へ移って処理を終了する。
このようにクライアント端末２の制御部２３は、記憶媒体２９のクリップデータベースに登録されている複数のクリップデータの全てがナウオンエア情報をソースとする場合、ＣＤ楽曲情報提供サーバＳＶ５から新たにＣＤ楽曲情報を取得したとしても、ソースがナウオンエア情報であるクリップデータよりも重要度が低いので自動削除及び自動登録を行わない。これによりクライアント端末２は、ユーザにとって重要度の高いクリップデータが知らないうちにクリップデータベースから削除されてしまうことを未然に防止し得るようになされている。
（３−２）ナウオンエア情報の自動削除及び自動登録処理手順
図１７に示すようにクライアント端末２の制御部２３は、まずルーチンＲＴ２の開始ステップから入って次のステップＳＰ１１０へ移る。
ステップＳＰ１１０においてクライアント端末２の制御部２３は、所定のラジオ局からチューナ部３１（図２）を介して受信したラジオ番組内で放送されている楽曲を音声制御部２６を介してスピーカ２７から出力すると共に、当該楽曲に関するナウオンエア情報をラジオ放送情報配信サーバＳＶ３から取得し、ユーザからの操作に基づいて当該ナウオンエア情報をクリップデータとしてクリップデータベースに登録するための登録依頼を受けると、次のステップＳＰ１１１へ移る。
ステップＳＰ１１１においてクライアント端末２の制御部２３は、クリップデータベースを参照することにより現在のクリップデータの登録件数を確認し、次のステップＳＰ１１２へ移る。
ステップＳＰ１１２においてクライアント端末２の制御部２３は、クリップデータベースにおける現在のクリップデータの登録件数が、クリップ格納領域に割り当てられている記憶容量の範囲内で登録可能な最大数を超えているか否かを判定し、登録件数が最大数を超えていないときには記憶容量に未だ余裕があるので、この場合は否定結果を得て次のステップＳＰ１１６へ移る。
これに対してクライアント端末２の制御部２３は、ステップＳＰ１１２で現在のクリップデータの登録件数が最大数を超えている場合には記憶容量に余裕がなく新たなクリップデータを登録できない状態であり、このとき肯定結果を得て次のステップＳＰ１１３へ移る。
ステップＳＰ１１３においてクライアント端末２の制御部２３は、クリップデータベースに登録されている複数のクリップデータのうち、ソースがナウオンエア情報以外のものが存在するか否かを判定する。
ここで否定結果が得られると、このことはクリップデータベースに既に登録されているクリップデータのソースが全てナウオンエア情報であること、すなわち全てのクリップデータがナウオンエア情報をクリップしたものであることを表しており、このときクライアント端末２の制御部２３は次のステップＳＰ１１４へ移る。
ステップＳＰ１１４においてクライアント端末２の制御部２３は、ナウオンエア情報をソースとするクリップデータのうち最も古いもの（登録日時の最も古いもの）をユーザにとって重要度が低く削除対象優先度の高いクリップデータであると判断し、これをクリップデータベースから自動的に削除し、次のステップＳＰ１１６へ移る。
これに対してステップＳＰ１１３で肯定結果が得られると、このことはクリップデータベースに既に登録されているクリップデータのソースがナウオンエア情報ばかりでなく、ＣＤ楽曲情報であるものも含まれていることを表しており、このときクライアント端末２の制御部２３は次のステップＳＰ１１５へ移る。
ステップＳＰ１１５においてクライアント端末２の制御部２３は、クリップデータベースに登録されている複数のクリップデータのうち、ソースがナウオンエア情報以外のＣＤ楽曲情報であるものをユーザにとって重要度が低く削除対象優先度の高いクリップデータであると判断し、さらに、その中で最も古いクリップデータを自動的に削除して、次のステップＳＰ１１６へ移る。
すなわち本実施の形態においては、音楽ＣＤの再生時にいつでも取得できるＣＤ楽曲情報と、ラジオ番組で流れた楽曲を聞いているときに取得したナウオンエア情報とでは、ナウオンエア情報の方がユーザにとって重要度が高いものであると判断するようになされている。
ステップＳＰ１１６においてクライアント端末２の制御部２３は、ラジオ放送情報配信サーバＳＶ３から今回新たに取得したナウオンエア情報をクリップデータとしてクリップデータベースに自動的に登録し、次のステップＳＰ１１７へ移って処理を終了する。
このようにクライアント端末２の制御部２３は、記憶媒体２９のクリップデータベースに登録されているクリップデータのソースがナウオンエア情報であるのか、あるいはＣＤ楽曲情報であるのかを認識する。そして制御部２３は、ソースがナウオンエア情報である場合、そのクリップデータを再度登録することは困難であるため、当該クリップデータがユーザにとっての重要度が最も高いものと判断し、ソースがナウオンエア情報以外のクリップデータ（ここではソースがＣＤ楽曲情報であるクリップデータ）を優先して削除するようになされている。
（４）動作及び効果
以上の構成において、音楽関連サービス提供システム１のクライアント端末２は、新たに取得したクリップ対象情報（ナウオンエア情報やＣＤ楽曲情報）を記憶媒体２９のクリップデータベースに登録する際、当該クリップデータベースで利用できるクリップ格納領域の記憶容量が既に一杯でこの新たに取得したクリップ対象情報を登録することが困難であると判断した場合、このクリップ対象情報がナウオンエア情報であれば、このナウオンエア情報が放送に関連するクリップ対象情報であるために２度と取得できないクリップ対象情報である可能性も高く最重要であると判断する。
このときクライアント端末２は、この新たに取得したナウオンエア情報については確実にクリップデータベースに登録する必要があるので、当該クリップデータベースに既に登録されているクリップデータのうちのソースがラジオ（ナウオンエア情報）以外のものを自動的に選択削除するか、ソースがラジオ（ナウオンエア情報）のクリップデータばかりであればその中で最も登録日時の古いものを自動的に選択削除する。
そしてクライアント端末２は、クリップデータを選択削除することで確保したクリップ格納領域の空き領域に新たに取得したナウオンエア情報を自動的に登録する。
これによりクライアント端末２は、２度と取得できないようなラジオ番組で放送される楽曲に関するナウオンエア情報については、当該ナウオンエア情報を取得した時点で記憶媒体２９におけるクリップ格納領域の記憶容量が一杯であったとしても、ユーザにとって重要度が低く削除対象優先度の高いクリップ対象情報を強制的かつ自動的に選択削除して空き容量を確保し、そこに自動的に登録することにより、既にクリップデータとして登録されている重要度が高いクリップ対象情報を削除してしまうという事態を回避しつつ、重要度が高い新たなクリップ対象情報を確実にクリップデータベースに登録することができる。
このときクライアント端末２は、上述の処理の一切をユーザの介入なしに行うようになされていることにより、ユーザの手を煩わせることなく重要度が高いクリップ対象情報を記憶媒体２９のクリップデータベースにクリップデータとして登録することができる。
以上の構成によれば、音楽関連サービス提供システム１のクライアント端末２は、記憶媒体２９におけるクリップ格納領域の記憶容量が一杯であったとしても、ユーザにとって重要度が低く削除対象優先度の高いクリップ対象情報を強制的かつ自動的に選択削除して空き容量を確保することにより、既にこのクリップ格納領域（すなわちクリップデータベース）にクリップデータとして登録された重要度の高いクリップ対象情報がユーザの知らないうちに削除されてしまうという事態を回避しつつ、新たに取得した重要度の高いクリップ対象情報を確実に登録することができる。
（５）クライアント端末２のハードウェア回路ブロック構成
（５−１）回路構成
続いて、図２で説明した機能回路ブロック構成のクライアント端末２と同様の処理を実行するための他の構成として、ハードウェア回路ブロック構成のクライアント端末２について図１８を用いて説明する。
この場合のクライアント端末２のハードウェア回路構成では、一部の機能を後述するソフトウェアモジュールに従って実現している。
クライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。
入力処理部２０１は、供給される操作入力信号に対して所定の処理を施すことにより、当該操作入力信号を操作コマンドに変換し、これをバス２０２を介してＣＰＵ（Ｃｅｎｔｒａｌ  Ｐｒｏｃｅｓｓｉｎｇ  Ｕｎｉｔ）２０３に供給する。
ＣＰＵ２０３は、ＲＯＭ（Ｒｅａｄ  Ｏｎｌｙ  Ｍｅｍｏｒｙ）２０４に予め格納されている基本プログラムやアプリケーションプログラム等の各種プログラムをバス２０２を介してＲＡＭ（Ｒａｎｄｏｍ  Ａｃｃｅｓｓ  Ｍｅｍｏｒｙ）２０５に読み出し、これら各種プログラムに従って全体を制御すると共に、所定の演算処理や、入力処理部２０１から供給される操作コマンドに応じた各種処理を実行する。
ディスプレイ２０６は、例えば液晶ディスプレイ等の表示デバイスであって、筐体表面に直接取り付けられている場合や外付けされている場合がある。
そしてディスプレイ２０６は、ＣＰＵ２０３による処理結果や各種映像データが表示処理部２０７を介してアナログ映像信号として供給されると、当該アナログ映像信号に基づく映像を表示する。
メディアドライブ２０８は、例えばＣＤや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。
そしてメディアドライブ２０８は、ＣＤやメモリスティックからコンテンツデータとして映像データを読み出したときには、当該再生した映像データをバス２０２を介して表示処理部２０７に供給する。
またメディアドライブ２０８は、ＣＤやメモリスティックからコンテンツデータとして音声データを読み出したときには、当該再生した音声データを音声処理部２０９に供給する。
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。
また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。
因みにＣＰＵ２０３は、ハードディスクドライブ２１１に対して記憶したコンテンツデータを、図３について上述したディレクトリ構成で管理している。
そしてＣＰＵ２０３は、ハードディスクドライブ２１１に記憶したコンテンツファイルを当該ハードディスクドライブ２１１からコンテンツデータとして読み出すこともできる。
なおＣＰＵ２０３は、ハードディスクドライブ２１１からコンテンツデータとして映像データを読み出したときには、当該読み出した映像データをバス２０２を介して表示処理部２０７に供給する。
またＣＰＵ２０３は、ハードディスクドライブ２１１からコンテンツデータとして音声データを読み出したときには、当該読み出した音声データを音声処理部２０９に供給する。
アンテナ２１２は、各ラジオ局から送信されてくるラジオ放送波を受信し、これをＡＭ／ＦＭチューナでなるチューナ２１３に送出する。
チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。
音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。
またＣＰＵ２０３は、チューナ２１３で得られた音声データをハードディスクドライブ２１１に送出して記録することにより、ラジオ番組の番組音声を録音することもできる。
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ５にアクセスすることができ、これによりポータルサーバ３やその他サーバＳＶ１乃至ＳＶ５との間で各種データを送受信することができる。
（５−２）プログラムモジュール構成
図１９に示すように、上述の図１８に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ５（ＳＶ５は図示せず）との間でやりとりを行う。
ＨＴＴＰ（Ｈｙｐｅｒ  Ｔｅｘｔ  Ｔｒａｎｓｆｅｒ  Ｐｒｏｔｏｃｏｌ）メッセージプログラム２４０は、ポータルサーバ３やその他サーバＳＶ１乃至ＳＶ５との間のやりとりをＨＴＴＰ通信で行うものであり、コミュニケータプログラム２４１は、ＨＴＴＰメッセージプログラム２４０とデータのやりとりを行うプログラムモジュールである。
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。
インターネットラジオ選局再生モジュール２４４と、楽曲購入再生モジュール２４５とにより再生された音声データは、音声処理部２０９に転送されることにより、最終的にスピーカ２１０から音声として出力される。
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。
例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。
さらにコミュニケータプログラム２４１の上位には、データベースアクセスモジュール２４９、コンテンツデータアクセスモジュール２５０及びハードディスクコンテンツコントローラ２４７が位置する。
このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
ハードディスクコンテンツコントローラ２４７の上位には、ラジオ局が放送した楽曲のタイトルやアーティスト名等を表示するためのラジオ放送情報表示モジユール２５１、及びラジオ局を選局したり、当該ラジオ局から受信した楽曲としてのコンテンツデータをハードディスクドライブ２１１に記憶（録音）するチューナ選局再生／録音モジュール２５２が位置している。
例えば、オーディオユーザインタフェース２５３を介して選局されたラジオ局から受信した楽曲は、コンテンツデータアクセスモジュール２５０を介してハードディスクドライブ２１１へ書き込まれるようになされている。
またチューナ選局再生／録音モジュール２５２により再生されたコンテンツデータとしての音声データは、音声処理部２０９に転送されることにより、最終的にスピーカ２１０から音声として出力される。
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。
なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶（すなわちクリップデータベースにクリップ）される。
ＣＤ再生モジュール２５４は、メディアドライブ２０８に対してＣＤを再生するように制御する。
そしてＣＤ再生モジュール２５４によりＣＤから再生された音声データは、音声処理部２０９に転送されることにより、最終的にスピーカ２１０から音声として出力される。
ＨＤＤ再生モジュール２５５は、図示はしていないが、ハードディスクコンテンツコントローラ２４７及び著作権保護管理モジュール２４３と接続されている。
これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。
そしてＨＤＤ再生モジュール２５５により著作権管理情報に従って再生された音声データは、音声処理部２０９に転送されることにより、最終的にスピーカ２１０から音声として出力される。
リッピングモジュール２５６は、図示はしていないが、ハードディスクコンテンツコントローラ２４７及び著作権保護管理モジュール２４３と接続されている。
これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶される（すなわち、リッピングされる）ように、ＣＤ再生モジュール２５４、著作権保護管理モジュール２４３及びハードディスクコンテンツコントローラ２４７を制御する。
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。
またコンテンツ再生モジュール２４２は、図２について上述したクライアント端末２のエンコーダ／デコーダ部３４と同様の機能を実現可能なプログラムモジュールである。
さらに著作権保護管理モジュール２４３は、図２について上述したクライアント端末２の著作権管理部３５と同様の機能を実現可能なプログラムモジュールである。
さらにインターネットラジオ選局再生モジュール２４４は、図２について上述したクライアント端末２の制御部２３及び音声制御部２６と同様の機能を実現可能なプログラムモジュールである。
さらに楽曲購入再生モジュール２４５は、図２について上述したクライアント端末２の制御部２３及び音声制御部２６と同様の機能を実現可能なプログラムモジュールである。
さらにＸＭＬブラウザ２４６は、図２について上述したクライアント端末２の入力処理部２１及びページ情報生成部３６と同様の機能を実現可能なプログラムモジュールである。
さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。
さらにライブラリ２４８の認証ライブラリ２４８Ａは、図２について上述したクライアント端末２の認証処理部３７及び認証情報記憶部３８と同様の機能を実現可能なプログラムモジュールである。
さらにライブラリ２４８のクリップライブラリ２４８Ｂは、図２について上述したクライアント端末２の制御部２３と同様の機能を実現可能なプログラムモジュールである。
さらにラジオ放送情報表示モジュール２５１は、図２について上述したクライアント端末２のラジオ放送表示制御部３９と同様の機能を実現可能なプログラムモジュールである。
さらにチューナ選局再生／録音モジュール２５２は、図２について上述したクライアント端末２の制御部２３及び音声制御部２６並びにチューナ部３１と同様の機能を実現可能なプログラムモジュールである。
さらにオーディオユーザインタフェース２５３は、図２について上述したクライアント端末２の入力処理部２１及び制御部２３並びに表示制御部２４と同様の機能を実現可能なプログラムモジュールである。
さらにＣＤ再生モジュール２５４は、図２について上述したクライアント端末２の音声制御部２６及び外部記録媒体記録再生部２８と同様の機能を実現可能なプログラムモジュールである。
さらにＨＤＤ再生モジュール２５５は、図２について上述したクライアント端末２の制御部２３及び音声制御部２６と同様の機能を実現可能なプログラムモジュールである。
さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
従って図１８について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。
（５−３）各サーバのハードウェア回路ブロック構成
次に、ポータルサーバ３、音楽データ配信サーバＳＶ１、物販サーバＳＶ２、ラジオ放送情報配信サーバＳＶ３のハードウェア回路ブロックによるハードウェア構成について説明する。
ただしこれらポータルサーバ３、音楽データ配信サーバＳＶ１、物販サーバＳＶ２、ラジオ放送情報配信サーバＳＶ３は、ハードウェア回路ブロックにより構成する場合、各種機能をソフトウェアによって実現可能であるため、同様のハードウェア構成とすることができる。
従ってまず図２０を用いて、ポータルサーバ３、音楽データ配信サーバＳＶ１、物販サーバＳＶ２、ラジオ放送情報配信サーバＳＶ３のいずれにも適用可能なサーバのハードウェア回路ブロックによる基本的なハードウェア構成を説明する。
かかるサーバは、全体を統括的に制御するＣＰＵ２７０が、ＲＯＭ２７１又はハードディスクドライブ２７２に記憶されている基本プログラムやアプリケーションプログラム等の各種プログラムを、バス２７３を介してＲＡＭ２７４に適宜展開しこれを実行することにより各種処理を行う。
ハードディスクドライブ２７２には、コンテンツデータやネットワーク上で公開可能なページ情報等の各種データ及び情報を一時的又は永続的に記憶することができると共に、ハードディスク内にデータベースを構築して顧客情報等の各種登録情報を登録することもできる。
またＣＰＵ２７０は、ハードディスクドライブ２７２から各種データ及び情報並びに各種登録情報を読み出し、当該読み出した各種データ及び情報並びに各種登録情報を用いて各種処理を実行することができる。
ネットワークインタフェース２７５は、ネットワークＮＴを介してクライアント端末２や他のサーバと、各種データ及び各種情報の送受信用に接続することができる。
そしてかかるサーバは、基本的にＣＰＵ２７０がＲＯＭ２７１又はハードディスクドライブ２７２に記憶された各種プログラムに従って各種処理を行っている。
このためかかるサーバでは、図４について上述した機能回路ブロックによるハードウェア構成のポータルサーバ３の機能に応じて、ＲＯＭ２７１又はハードディスクドライブ２７２に記憶させる各種プログラムを適宜選定することにより、ＣＰＵ２７０を当該ポータルサーバ３の制御部５０、通信制御部５２及び認証処理部５６と同様に機能させることができると共に、ハードディスクドライブ２７２をそのポータルサーバ３の顧客データベース部５４、ページ情報記憶部５５、認証情報記憶部５７、周波数情報記憶部５８及びＵＲＬ記憶部５９と同様に用いることができる。
またかかるサーバでは、図５について上述した機能回路ブロックによるハードウェア構成の音楽データ配信サーバＳＶ１の機能に応じて、ＲＯＭ２７１又はハードディスクドライブ２７２に記憶させる各種プログラムを適宜選定することにより、ＣＰＵ２７０を当該音楽データ配信サーバＳＶ１の制御部７０、通信制御部７２、認証処理部７５及び検索部７９と同様に機能させることができると共に、ハードディスクドライブ２７２をその音楽データ配信サーバＳＶ１の顧客データベース部７４、ページ情報記憶部７６、認証情報記憶部７７及び音楽データ記憶部７８と同様に用いることができる。
さらにかかるサーバでは、図６について上述した機能回路ブロックによるハードウェア構成の物販サーバＳＶ２の機能に応じて、ＲＯＭ２７１又はハードディスクドライブ２７２に記憶させる各種プログラムを適宜選定することにより、ＣＰＵ２７０を当該物販サーバＳＶ２の制御部９０、通信制御部９２、認証処理部９５及び検索部９９と同様に機能させることができると共に、ハードディスクドライブ２７２をその物販サーバＳＶ２の顧客データベース部９４、ページ情報記憶部９６、認証情報記憶部９７及びパッケージメディア情報記憶部９８と同様に用いることができる。
さらにかかるサーバでは、図７について上述した機能回路ブロックによるハードウェア構成のラジオ放送情報配信サーバＳＶ３の機能に応じて、ＲＯＭ２７１又はハードディスクドライブ２７２に記憶させる各種プログラムを適宜選定することにより、ＣＰＵ２７０を当該ラジオ放送情報配信サーバＳＶ３の制御部１１０、通信制御部１１２、認証処理部１１５及び検索部１１８と同様に機能させることができると共に、ハードディスクドライブ２７２をそのラジオ放送情報配信サーバＳＶ３の顧客データベース部１１４、ページ情報記憶部１１６、オンエアリスト情報記憶部１１７、ナウオンエア情報記憶部１１９及び認証情報記憶部１２０と同様に用いることができる。
このようにしてかかるサーバは、ＲＯＭ２７１又はハードディスクドライブ２７２に記憶させる各種プログラムを適宜選定することにより、図４乃至図７について上述した機能回路ブロックによるハードウェア構成のポータルサーバ３、音楽データ配信サーバＳＶ１、物販サーバＳＶ２、ラジオ放送情報配信サーバＳＶ３の何れの機能をも、ハードウェア回路ブロックによるハードウェア構成で実現することができる。
（６）他の実施の形態
なお上述の実施の形態においてクライアント端末２の制御部２３は、クリップデータのソースに基づいてクリップデータベースからクリップデータを削除する際の削除対象優先度を判断するようにした場合について述べたが、本発明はこれに限らず、登録日時、クリップデータに対するアクセス回数等のその他種々の判断基準を用いて削除対象優先度を判断するようにしても良い。
例えば、クリップデータに対するアクセス回数を判断基準とした場合、クリップデータベースにこのアクセス回数に対応するカラムを追加しておき、クライアント端末２の制御部２３はアクセス回数が多いクリップデータは何度も参照する必要があるものと考えて削除対象優先度を低くしたり、逆にアクセス回数が多いものはもう十分参照したであろうから削除しても良いのではと考えて削除対象優先度を高くするように設定しても良い。
また上述の形態においては、ナウオンエア情報及びＣＤ楽曲情報をクリップ対象情報とするようにした場合について述べたが、本発明はこれに限らず、テレビジョン放送、インターネット放送、記憶媒体２９、メモリスティック（登録商標）等の半導体メモリ、ＭＯ（Ｍａｇｎｅｔｏ−Ｏｐｔｉｃａｌ  Ｄｉｓｃ）等のその他種々の放送や媒体等から得られる情報（例えばオンエアリスト情報）をクリップ対象情報とするようにしてもよい。
すなわち、例えばクライアント端末２が音楽データ配信サーバＳＶ１からダウンロードした音楽データに付随する楽曲情報（楽曲タイトル、アーティスト名及びジャンル等）をクリップ対象情報とするようにしてもよい。
この場合、クライアント端末２の制御部２３は、データ属性情報としてのソースがＣＤ（ＣＤ楽曲情報）であるクリップデータ（ここでは第１のクリップデータと呼ぶ）と、ソースが例えばこのダウンロードした音楽データの楽曲情報であるクリップデータ（ここでは第２のクリップデータと呼ぶ）とでは、第２のクリップデータが音楽データ配信サーバＳＶ１からいつでも取得できるのに対し、第１のクリップデータがＣＤを紛失すると再度取得できなくなる場合があるので、ソースがＣＤ（ＣＤ楽曲情報）であるクリップデータをより重要度が高いものと判断するようになされている。
すなわちクライアント端末２の制御部２３は、クリップデータのソースに基づく当該クリップデータの取得困難性等を削除対象優先度を判断する際の基準とするので、ソースがラジオ放送、テレビジョン放送、インターネット放送等で放送される放送コンテンツに関連する情報であるクリップデータ、すなわち取得困難性の高いクリップデータを最も重要度が高いものとして判断することになる。
さらに上述の形態においては、クリップ格納領域にクリップデータとして登録されたナウオンエア情報及びＣＤ楽曲情報に対する自動削除及び自動登録を実行するようにした場合について述べたが、本発明はこれに限らず、コンテンツ格納領域に記録されるコンテンツデータに対する自動削除及び自動登録を実行するようにしてもよい。
この場合、クライアント端末２の制御部２３は、例えばラジオ放送を録音した音声データを、音楽ＣＤからリッピングした音楽データよりも重要度が高いコンテンツデータであると判断して、この音声データの方をコンテンツ格納領域に優先的に残すようにしてもよい。このようにクライアント端末２の制御部２３は、コンテンツ格納領域に記録されるコンテンツデータについても、そのソースに基づいて重要度を判断し、重要度の高いコンテンツデータを優先的に残すことができる。
さらに上述の形態においては、音楽ＣＤに関するＣＤ楽曲情報をＣＤ楽曲情報提供サーバＳＶ５から取得するようにした場合について述べたが、本発明はこれに限らず、音楽ＣＤに関するＣＤ楽曲情報を示すテキストデータが音楽データと共に記録されているタイプのＣＤや、エキストラトラックの中にその音楽ＣＤに関するＣＤ楽曲情報が記録されているＣＤエキストラ等を用いる場合には、これら音楽ＣＤからＣＤ楽曲情報を直接読み出して取得するようにしても良い。
さらに上述の実施の形態においては、ＣＤ楽曲情報をＣＤ楽曲情報提供サーバＳＶ５から取得するようにした場合について述べたが、本発明はこれに限らず、ネットワークＮＴ上に構築された他のサーバから取得するようにしても良いし、予めクライアント端末２の記憶媒体２９にＣＤ楽曲情報が格納されたＣＤ楽曲情報データベースを構築しておき、このＣＤ楽曲情報データベースからＣＤ楽曲情報を取得するようにしてもよい。
さらに上述の実施の形態においては、ＣＰＵ２０３がＲＯＭ２０４に予め格納されたプログラムをＲＡＭ２０５上に展開し、当該プログラムに従って各プログラムモジュールに命令を出し、上述のクリップデータの自動削除及び自動登録処理手順を実行するようにした場合についても述べたが、本発明はこれに限らず、このプログラムが格納されたプログラム格納媒体から当該プログラムを読み出してクライアント端末２にインストールすることにより上述のクリップデータの自動削除及び自動登録処理手順を実行するようにしても良い。
さらに上述の実施の形態においては、本発明のデータ記録制御装置を、記録対象のデータであるクリップ対象情報の属性及びデータ属性情報（例えばソース）を検出するデータ属性検出手段、判別手段、データ削除手段及びデータ記録手段としての制御部２３や、記憶媒体としての記憶媒体２９によって構成するようにした場合について述べたが、本発明はこれに限らず、その他種々の回路構成でデータ記録制御装置を構成するようにしても良い。
さらに上述の実施の形態においては、クライアント端末２が受信可能な放送としてラジオ局から放送されるラジオ放送を適用したが、これに限らず、クライアント端末２がインターネットラジオ放送や衛星ラジオ放送を受信して、その関連情報及びラジオ放送情報を取得するようにしたり、或いはテレビジョン放送局から放送されるテレビジョン放送を受信し、そのテレビジョン放送のテレビジョン番組に関する各種放送情報等をネットワークＮＴ上のサーバから取得するようにしてもよい。
さらに上述の実施の形態においては、ハードウェア回路ブロック、機能回路ブロック及びプログラムモジュールをクライアント端末２に実装した場合について述べたが、本発明はこれに限らず、これらを携帯電話機やパーソナルコンピュータ等、クライアント端末２以外の種々の端末に実装するようにしてもよく、これらハードウェア回路ブロック、機能回路ブロック及びプログラムモジュールを実装した端末であれば、上述したクライアント端末２と同様の処理を実現することができる。
産業上の利用の可能性
本発明のデータ記録制御装置は、例えば外部から取得した楽曲に関連した楽曲情報を記憶容量に限りがある記憶媒体に記憶管理する用途に適用することができる。
【図１】
2005029496.tif 000003
【図２】
2005029496.tif 000004
【図３】
2005029496.tif 000005
【図４】
2005029496.tif 000006
【図５】
2005029496.tif 000007
【図６】
2005029496.tif 000008
【図７】
2005029496.tif 000009
【図８】
2005029496.tif 000010
【図９】
2005029496.tif 000011
【図１０】
2005029496.tif 000012
【図１１】
2005029496.tif 000013
【図１２】
2005029496.tif 000014
【図１３】
2005029496.tif 000015
【図１４】
2005029496.tif 000016
【図１５】
2005029496.tif 000017
【図１６】
2005029496.tif 000018
【図１７】
2005029496.tif 000019
【図１８】
2005029496.tif 000020
【図１９】
2005029496.tif 000021
【図２０】
2005029496.tif 000022
【国際調査報告】
2005029496.tif 000023
2005029496.tif 000024
2005029496.tif 000025
2005029496.tif 000026